(57)【要約】【課題】屋外で発生し、アレルギー反応による発作の原因、または、発作の助長物質となる花粉を含む特定のダストを検知し、除塵運転して室内をダストの少ない状態に維持する空気調和機を提供する。【解決手段】空気調和機１は、誘電体フィルターを備えた電気集塵空清ユニットと、外気を室内に取入れる給気運転が可能な換気装置と、換気装置による外気の吸入経路に設けた空清フィルターと、空気中に浮遊するダストを識別できるダストセンサー１５８と、を室内機２に備える。この空気調和機１の制御装置は、ダストセンサーが花粉を含む特定グループのダストを検知した場合に、電気集塵空清ユニットの運転と換気装置の給気運転とを行うように制御する。【選択図】図１
2007107819.tif 000002
【特許請求の範囲】
【請求項１】
誘電体フィルターを備えた電気集塵空清ユニットと、外気を室内に取入れる給気運転が可能な換気装置と、前記換気装置による外気の吸入経路に設けた空清フィルターと、空気中に浮遊するダストを識別できるダストセンサーと、を室内機に備え、
前記ダストセンサーが花粉を含む特定グループのダストを検知した場合に、前記電気集塵空清ユニットの運転と前記換気装置の給気運転とを行うように制御する制御装置を備えた
ことを特徴とする空気調和機。
【請求項２】
請求項１に記載の空気調和機において、前記制御装置は、運転停止中も前記特定グループのダストの有無とその濃度を監視する監視機能と、この監視機能を設定・解除する機能とを備え、この監視機能が設定されている場合には、運転停止中でも、前記ダストセンサーが前記特定グループのダストを検知した時に、前記電気集塵空清ユニットの運転と前記換気装置の給気運転を行うように制御することを特徴とする空気調和機。
【請求項３】
誘電体フィルターを有する電気集塵空清ユニットと、外気を室内に取入れる給気運転が可能な換気装置と、前記換気装置による外気の吸入経路に設けた空清フィルターと、を室内機に備えると共に、運転を制御するリモコンを備え、
前記リモコンに花粉を含む特定グループのダスト除去を指示する機能を備え、
前記ダスト除去の指示により前記電気集塵空清ユニットの運転と前記換気装置の給気運転とを行うように制御する制御装置を備えた
ことを特徴とする空気調和機。
【請求項４】
請求項３に記載の空気調和機において、前記ダスト除去を指示する機能が前記リモコンの専用ボタンの押下により実行されることを特徴とする空気調和機。
【請求項５】
請求項１または３に記載の空気調和機において、前記ダストセンサーがダストの少なくとも３つの濃度範囲を識別できる機能を有し、前記制御装置はこの識別した濃度範囲に応じて送風機の風速を切換えるように制御することを特徴とする空気調和機。
【請求項６】
請求項５に記載の空気調和機において、前記換気装置は排気運転機能も備え、前記制御装置は、前記ダストセンサーが識別したダストのグループに応じて、前記換気装置の給気運転または排気運転と前記電気集塵空清ユニットの運転とを行うように制御することを特徴とする空気調和機。
【請求項７】
請求項１または３に記載の空気調和機において、前記ダストセンサーによるダストの識別がダストの大きさを識別することにより行なわれ、前記制御装置は、前記識別されたダストの大きさが予め定めた第１の所定値より大きく且つ予め定めた第２の所定値より小さい場合に前記換気装置による給気運転を行うように制御し、他の場合に前記換気装置による排気運転を行うように制御することを特徴とする空気調和機。
【請求項８】
請求項７に記載の空気調和機において、前記第１の所定値が５μｍ〜１０μｍの範囲であり、前記第２の所定値が７０μｍ〜１００μｍの範囲であることを特徴とする空気調和機。
【発明の詳細な説明】
【技術分野】
【０００１】
本発明は、空気調和機に係り、特に空気清浄機能を備えた空気調和機に好適なものである。
【背景技術】
【０００２】
近年、杉花粉の大量飛散に伴ない花粉症にかかる人が増えている。花粉症は花粉をアレルゲンとしたアレルギー反応によって引起され、くしゃみ、鼻水、目のかゆみなどの症状を現す。花粉症のアレルゲンとしては第一に杉花粉が挙げられるが、この他にも、杉花粉と性状が似ている檜の花粉も挙げられていて、花粉の飛ぶ時期が違うため、花粉症の要注意期間が長くなっている。
【０００３】
また、花粉以外にも室内には生活に伴うハウスダスト、煙草の煙、室内でのペットの飼育や冷暖房機器の普及に伴う室内環境の通年快適化によりダニの繁殖が進むことによる有害微細動物の増加などで、室内の空気が汚染され、これらも、アレルゲンの一つとして喘息の発作を引起したり、他のアレルギー反応の発作を助長したりしている。
【０００４】
さらに、室内で発生するダスト以外にも、例えば、黄砂、強風による砂塵、噴火などによる火山灰、自動車の排ガス、工場排気ガス、排煙等、これらの室外で発生したダストが自然換気、人為的、機械的換気、または、人の衣服への付着などにより室内に入り込み、室内の人を不快にさせると共に、他のアレルギー反応の発作も助長している。
【０００５】
このような、室内環境を改善するため、従来、室内空気を必要な時に、速やかに清浄にする種々の工夫がなされている。この種の従来技術として、特開２００４−１１６９８１号公報（特許文献１）、特開平５−１５７２８号公報（特許文献２）、特開２００１−２４８８６５号公報（特許文献３）が知られている。
【０００６】
特許文献１では、花粉センサーが室内のエア中の花粉を検出すると、制御装置は空調ユニットの送風機と排気ファンを駆動し、室内への清浄エアおよび排気エアの給排気を行う。花粉センサーによって検出された室内のエア中の花粉量が多い場合には、制御装置は送風機および排気ファンの回転数を高くし、室内への清浄エアおよび排気エアの給排気量を増大する。また、スリット状の吸込口を備えたライン排気口は室の床の隅部に沿うように配置されているので、床の隅部に溜まった花粉を室内から速やかに吸引除去できる花粉低減装置について述べている。
【０００７】
特許文献２では、空気清浄装置と、換気装置と、汚れセンサーとを備え、汚れの濃度の停滞が所定時間Ｔ以上続いた場合に、空気清浄装置、換気装置の空気清浄能力を上昇させる制御を行う空気清浄換気装置において、空気清浄装置の集塵能力の低下を積算使用時間等により予測し、空気清浄装置、換気装置の空気清浄能力を上昇させるタイミングを短くし、空気が汚れてから清浄になるまでの時間を空気清浄装置の集塵能力にかかわらずほぼ一定にし、室内に居る者の不快感を長引かせない空気清浄換気連動システムについて述べている。
【０００８】
特許文献３では、室内の空気を排気口から室外に排気する排気手段と、室外の空気を室外空気吸込口から吸い込むと共に室内の空気を捕集部に送って清浄化された清浄空気を室内へ吹出す吸込吹出手段と、室外に排気される空気と室外から吸い込まれる空気との間で熱交換を行う熱交換手段とを具備し、捕集部の上流側の清浄前空気チャンバに連通する室内空気吸込口が下面及び前面室内空気吸込口からなり、且つ室外空気吸込口から吸い込まれて熱交換手段を通過した室外空気が清浄前空気チャンバに流入するようにし、換気効率及び集塵効率を向上させる換気機能付空気清浄装置について述べている。
【０００９】
【特許文献１】特開２００４−１１６９８１号公報
【特許文献２】特開平５−１５７２８号公報
【特許文献３】特開２００１−２４８８６５号公報
【発明の開示】
【発明が解決しようとする課題】
【００１０】
特許文献１では、花粉の濃度が多い時に、送風機および排気ファンの回転数を高くするものであり、外気の取り入れについての記載は無く、リモコンによる花粉除去運転についての言及も無い。
【００１１】
特許文献２では、空気清浄運転中に汚れ濃度の停滞が続いた時に、送風量アップ、換気併用等で除塵能力を増加させる制御を開始するタイミングを、経時的な集塵能力の低下に応じて短くするものであり、室内の花粉の濃度や換気装置の給排の制御についての記載は無く、リモコンからの花粉除去運転についての言及も無い。
【００１２】
特許文献３では、粉塵センサーで検出された粉塵の量に応じて、送風量を調整するものであり、室内の花粉の濃度や換気装置の給排の制御についての記載は無く、リモコンによる花粉除去運転についての言及も無い。
【００１３】
本発明が解決しようとする第１の課題は、アレルギー反応による発作の原因または発作の助長物質となる花粉を含む特定のダストを検知し、除塵運転して室内をダストの少ない状態に維持する空気調和機を提供することにある。
【００１４】
本発明が解決しようとする第２の課題は、ある日突然、特定グループのダストによるアレルギーの発作にみまわれると言う、不意打ちに会うことが防止できると共に、四六時中特定グループのダストの飛散具合を気にする必要が無くなり、精神的な余裕が生まれる空気調和機を提供することにある。
【００１５】
本発明が解決しようとする第３の課題は、ダストをアレルゲンとした発作が起こりそうな時でも、発作の引き金となり易い大きな動作をすることなしに、手元のリモコンから座ったまま、寝たままで除塵運転を指示し、電気集塵空清ユニットを運転すると共に、換気装置を給気運転して室内をダストの少ない状態に維持する空気調和機を提供することにある。
【００１６】
本発明が解決しようとする第４の課題は、ダストをアレルゲンとした発作が起こりそうな時でも、迷わず簡単な操作で電気集塵空清ユニットの運転開始と換気装置の給気運転開始を指示することができ、これにより電気集塵空清ユニットの運転、換気装置の給気運転が始まり、室内をダストの少ない状態に維持する空気調和機を提供することにある。
【００１７】
本発明が解決しようとする第５の課題は、ダストが多い時は急速にダストを捕集して短時間に室内のダスト濃度を下げ、ダストが少ない時は低騒音運転で徐々にダスト濃度を下げ、室内をダストの少ない状態を長時間維持する空気調和機を提供することにある。
【００１８】
本発明が解決しようとする第６の課題は、ダストの種類に応じて電気集塵運転と、給気運転（発生源が室外の場合）または排気運転（発生源が室内の場合）とを組合せて室内環境を速やかに改善する空気調和機を提供することにある。
【００１９】
本発明が解決しようとする第７の課題は、室内のダストが花粉、埃、または、煙であることを識別し、そのダストの除去に好適な運転を行い、急速に室内環境を改善し、室内をダストの少ない状態に維持する空気調和機を提供することにある。
【００２０】
本発明が解決しようとする第８の課題は、室内空気中の花粉を捕集し、室内空気から花粉症のアレルゲンを減少させ、花粉症の症状を緩和する。また、室内空気中の煙、埃を除去し、室内を清浄な環境に保つ空気調和機を提供することにある。
【課題を解決するための手段】
【００２１】
本発明が解決しようとする第１の課題は、誘電体フィルターを備えた電気集塵空清ユニットと、外気を室内に取入れる給気運転が可能な換気装置と、前記換気装置による外気の吸入経路に設けた空清フィルターと、空気中に浮遊するダストを識別できるダストセンサーと、を室内機に備え、前記ダストセンサーが花粉を含む特定グループのダストを検知した場合に、前記電気集塵空清ユニットの運転と前記換気装置の給気運転とを行うように制御する制御装置を備えることにより達成される。
【００２２】
本発明が解決しようとする第２の課題は、前記制御装置が、運転停止中も前記特定グループのダストの有無とその濃度を監視する監視機能と、この監視機能を設定・解除する機能とを備え、この監視機能が設定されている場合には、運転停止中でも、前記ダストセンサーが前記特定グループのダストを検知した時に、前記電気集塵空清ユニットの運転と前記換気装置の給気運転を行うように制御することにより達成される。
【００２３】
本発明が解決しようとする第３の課題は、誘電体フィルターを有する電気集塵空清ユニットと、外気を室内に取入れる給気運転が可能な換気装置と、前記換気装置による外気の吸入経路に設けた空清フィルターと、を室内機に備えると共に、運転を制御するリモコンを備え、前記リモコンに花粉を含む特定グループのダスト除去を指示する機能を備え、前記ダスト除去の指示により前記電気集塵空清ユニットの運転と前記換気装置の給気運転とを行うように制御する制御装置を備えることにより達成される。
【００２４】
本発明が解決しようとする第４の課題は、前記ダスト除去を指示する機能が前記リモコンの専用ボタンの押下により実行されることにより達成される。
【００２５】
本発明が解決しようとする第５の課題は、前記ダストセンサーがダストの少なくとも３つの濃度範囲を識別できる機能を有し、前記制御装置がこの識別した濃度範囲に応じて送風機の風速を切換えるように制御することにより達成される。
【００２６】
本発明が解決しようとする第６の課題は、前記換気装置が排気運転機能も備え、前記制御装置が、前記ダストセンサーが識別したダストのグループに応じて、前記換気装置の給気運転または排気運転と前記電気集塵空清ユニットの運転とを行うように制御することにより達成される。
【００２７】
本発明が解決しようとする第７の課題は、前記ダストセンサーによるダストの識別がダストの大きさを識別することにより行なわれ、前記制御装置が、前記識別されたダストの大きさが予め定めた第１の所定値より大きく且つ予め定めた第２の所定値より小さい場合に前記換気装置による給気運転を行うように制御し、他の場合に前記換気装置による排気運転を行うように制御することにより達成される。
【００２８】
本発明が解決しようとする第８の課題は、前記第１の所定値が５μｍ〜１０μｍの範囲であり、前記第２の所定値が７０μｍ〜１００μｍの範囲であることにより達成される。
【発明の効果】
【００２９】
請求項１記載の発明によれば、屋外で発生し、アレルギー反応による発作の原因、または、発作の助長物質となる花粉を含む特定のダストを検知し、除塵運転して室内をダストの少ない状態に維持する。
【００３０】
請求項２記載の発明によれば、ある日突然、特定グループのダストによるアレルギーの発作にみまわれると言う、不意打ちに会うことが防止できると共に、四六時中特定グループのダストの飛散具合を気にする必要が無くなり、精神的な余裕が生まれる。
【００３１】
請求項３記載の発明によれば、ダストをアレルゲンとした発作が起こりそうな時でも、発作の引き金となり易い大きな動作をすることなしに、手元のリモコンから座ったまま、寝たままで除塵運転を指示し、電気集塵空清ユニットを運転すると共に、換気装置を給気運転して室内をダストの少ない状態に維持する。
【００３２】
請求項４記載の発明によれば、ダストをアレルゲンとした発作が起こりそうな時でも、迷わず簡単な操作で電気集塵空清ユニットの運転開始と換気装置の給気運転開始を指示することができ、これにより電気集塵空清ユニットの運転、換気装置の給気運転が始まり、室内をダストの少ない状態に維持する。
【００３３】
請求項５記載の発明によれば、ダストが多い時は急速にダストを捕集して短時間に室内のダスト濃度を下げ、ダストが少ない時は低騒音運転で徐々にダスト濃度を下げ、室内をダストの少ない状態を長時間維持する。
【００３４】
請求項６記載の発明によれば、ダストの種類に応じて電気集塵運転と、給気運転（発生源が室外の場合）または排気運転（発生源が室内の場合）とを組合せて室内環境を速やかに改善する。
【００３５】
請求項７記載の発明によれば、室内のダストが花粉、埃、または、煙であることを識別し、そのダストの除去に好適な運転を行い、急速に室内環境を改善し、室内をダストの少ない状態に維持する。
【００３６】
請求項８記載の発明によれば、室内空気中の花粉を捕集し、室内空気から花粉症のアレルゲンを減少させ、花粉症の症状を緩和する。また、室内空気中の煙、埃を除去し、室内を清浄な環境に保つ。
【発明を実施するための最良の形態】
【００３７】
以下、本発明の空気調和機の一実施例について図を用いて説明する。
【００３８】
まず、本実施例の空気調和機の全体構成を、図１〜４を用いて説明する。図１は本実施例の空気調和機の構成図、図２は図１の室内機の化粧パネルを外した内部構成説明図、図３は図１の室内機のＡ−Ａ断面図、図４は図１の室内機の斜視図であり、図４（ａ）は可動パネル２５１を閉じた状態を示し、図４（ｂ）は可動パネル２５１を開いた状態を示す。
【００３９】
図１及び図２において、符号１で総括的に示すのは空気調和機であり、室内機２と室外機６を接続配管８でつなぎ、室内を空気調和する。室内機２は筐体２１に室内熱交換器３３、送風ファン３１１、露受皿３５等を取付け、化粧枠２３で覆い、化粧枠２３の前面に前面パネル２５を取付けた構成になっている。化粧枠２３には、室内空気を吸い込む空気吸込み口２７と、温湿度が調和された空気を吹出す空気吹出し口２９とが上下に設けられている。
【００４０】
また、前面パネル２５の中央下部には、運転状況を表示する表示部３９７と、別体のリモコン５からの赤外線の操作信号を受ける受光部３９６とが配置されている。
【００４１】
筐体２１には、送風ファン３１１、フィルター２３１、室内熱交換器３３、露受皿３５、上下風向板２９１、左右風向板２９５等の基本的な内部構造体が取付けられている。そして、筐体２１の内側に取付けられた送風ファン３１１等の基本的な内部構造体は、筐体２１に化粧枠２３を取付けることにより室内機２内に包含される。化粧枠２３は、上部両側に取付リブを形成し、該取付リブを筐体２１の前部に引っ掻けて、下部をネジ等により筐体２１に取付ける。
【００４２】
化粧枠２３の下面に形成される空気吹出し口２９は、前面パネル２５との分割部に隣接して配置され、奥の吹出し風路２９０に連通している。上下風向板２９１は、閉鎖状態で吹出し風路２９０をほぼ隠蔽して、室内機２の底面に連続した大きな曲面を形成する。そして、上下風向板２９１は、両端部に設けた回動軸を支点にして、リモコン５からの指示に応じて、図示しない駆動モータにより、空気調和機の運転時に所要の角度回動し空気吹出し口２９を開き、その状態に保持される。空気調和機の運転停止時には、空気吹出し口２９を閉じるように制御される。
【００４３】
また、左右風向板２９５は、下端部に設けた回動軸を支点にして、図示しない駆動モータにより回動可能に構成され、リモコン５からの指示の応じて回動してその状態を保持し、吹出し空気を左右の所望の方向に吹出させる。なお、リモコン５から指示することにより、空気調和機の運転中に上下風向板２９１、左右風向板２９５を周期的に揺動させ、室内の広範囲に周期的に吹出し空気を送ることもできる。
【００４４】
また、前面パネル２５に取付けられた可動パネル２５１は図示しない駆動モータを回転させることにより、下端部に設けた回動軸を支点として回動可能に構成され、空気調和機の運転時に前側空気吸込部２３０ｂを開き、前側空気吸込部２３０ｂからも室内空気を室内機内に吸引し、空気調和機の停止時には、前側空気吸込部２３０ｂを閉じるように制御される。
【００４５】
そして、本実施例に係る室内機２によれば、停止時には、空気吹出し風路２９０と前側空気吸込部２３０ｂを上下風向板２９１と可動パネル２５１で隠蔽してインテリアに調和させている。運転時には、上下風向板２９１、左右風向板２９５をリモコン５からの指示に応じて回動させると共に、可動パネル２５１を開いて前側空気吸込部２３０ｂ及び上側空気吸込部２３０ａから室内空気を吸込む。これにより、吸込んだ室内空気を内部の室内熱交換器３３で冷風または温風にして前記空気吹出口２９から吹出すことができる。
【００４６】
この空気調和機１を運転する時には、電源（図示せず）に接続してリモコン５を操作し、所望の暖房、除湿、冷房等の運転を行う。
【００４７】
冷房等の運転の場合を図２から図４を用いて説明する。冷房等の運転の場合、送風機３１の前方の部分の室内熱交換器３３に室内空気を通すため、図４（ｂ）の如く、前面パネル２５の一部を構成する可動パネル２５１を回動させて開く。上側空気吸込部２３０ａ及び開いた可動パネル２５１の奥の化粧枠２３の前側空気吸込部２３０ｂを通して室内熱交換器３３に室内空気を流通させる。
【００４８】
室内機２は、その内部に、図示しない電装品ボックスに制御基板を備え、該制御基板に制御装置を構成するマイコンが設けられている。該マイコンは、図示しない室内温度センサー、室内湿度センサー等の各種のセンサーからの信号を受け、リモコン５からの操作信号を受光部３９６で受けると共に、室内送風機３１、可動パネル駆動モータ、上下風向板駆動モータ、左右風向板駆動モータ等を制御し、且つ、室外機６との通信を司るなど、室内機２を統括して制御する。
【００４９】
室内機２は、運転停止状態で、図３及び図４（ａ）に示すように、可動パネル２５１及び上下風向板２９１が閉鎖された状態となっている。
【００５０】
この状態で、リモコン５から運転操作の信号がなされると、マイコンは、リモコン５からの操作信号または自動運転が設定されていれば、各種センサーからの情報に基づいて、冷房または暖房等の運転モードを決定し、図４（ｂ）に示すように、可動パネル２５１及び上下風向板２９１を動作させて、気流の通路を開放状態に制御する。このとき、空気吸込み口２３０ｂが開放されるが、室内からの視線は可動パネル２５１で遮られて室内機２の内部までは届かず、インテリアの雰囲気を崩すことは無い。つまり、マイコンは、図示しない駆動モータを動作させ、上下風向板２９１、左右風向板２９５をリモコン５からの指示に対応した吹出し角度まで回動する。また、マイコンは、上下風向板２９１の動作に連動して可動パネル２５１を開く可動パネル駆動モータを動作させる。
【００５１】
次に、マイコンは、室内送風機３１を回転させて上側及び前側の空気吸込部２３０ａ，２３０ｂから室内空気を吸込み、吸込んだ室内空気を室内熱交換器３３で温風または冷風あるいは熱交換しないで上下風向板２９１、左右風向板２９５に沿って空気吹出口２９から吹出させるように制御する。
【００５２】
そして、マイコンは、運転を停止する際に、室内送風機３１を停止させた後に、可動パネル２５１の駆動モータ及び上下風向板２９１の駆動モータを逆回転させ、開の状態から閉の状態に戻すように制御する。
【００５３】
フィルター２３１は、吸い込まれた室内空気中に含まれる塵埃を取り除くためのものであり、室内熱交換器３３の吸込側を覆うように配置される。送風ファン３１１は、横長の貫流ファンで構成され、室内空気を空気吸込み口２７から吸い込んで空気吹出し口２９から吹出すように室内機２内の中央に配置されている。室内熱交換器３３は、送風ファン３１１の吸込側に配置され、略逆Ｖ字状に形成されている。
【００５４】
露受皿３５は、室内熱交換器３３の前後両側の下端部下方に配置され、冷房運転時や除湿運転時に室内熱交換器３３に発生する凝縮水を受けるために設けられている。受けて集められた凝縮水はドレン配管３７を通して室外に排出される。
【００５５】
これらによって、空調される室内空気を流す主風路が形成される。即ち、送風ファン３１１を運転することで、室内空気は、空気吸込み口２７から吸い込まれ、フィルター２３１を介し、室内熱交換器３３にて熱交換された後、空気吹出し口２９から室内に吹出される。
【００５６】
換気装置３２は、図２に示すように、室内機２内の一側部に配置される。具体的には、換気装置３２は、送風ファン３１１用の送風モータ３１３と反対側部に組み込まれている。換気装置３２は、室内空気を吸い込む換気装置吸込み口３２５を上部に有している。この換気装置吸込み口３２５は、フィルター２３１の下流側に位置し、上側空気吸込部２３０ａから吸い込まれた室内空気がフィルター２３１を介して吸い込まれる。
【００５７】
換気装置３２は、室内空気を室外に排気するとともに新鮮な室外空気を取り込む換気装置給排気口３２７を後部に有している。そして、換気装置給排気口３２７には換気風路３９が接続され、この換気風路３９が室内機２と室外機６を接続する接続配管８と一緒に家屋の配管穴を貫通して室外に引き出され、換気風路３９の先端が外気に開放され、接続配管８は室外機６に接続される。
【００５８】
次に、換気装置３２による給気運転および排気運転について図５および図６を参照しながら説明する。図５は図２に示した換気装置３２の空気の流れを模式的に表す図、図６は図２に示した換気装置３２の運転の状態を表す図である。
【００５９】
換気装置３２には、給気運転および排気運転の２種類の運転モードと、運転停止の状態がある。そして、それぞれの運転モードにおける風の流れ方向およびダンパーの開閉位置は図６に示す通りである。なお、運転停止の状態では、当然であるが風は流れることなく、吸込み切換ダンパー３２９−１および吹出し切換ダンパー３２９−２は図５に示すそれぞれ位置（ｂ）にあって、換気装置吸込み口３２５及び換気装置吹出し口３２６へ換気装置給排気口３２７から室外空気が室内に侵入するのを防いでいる。
【００６０】
また、特に説明しないが、それぞれの運転モードの切換えは、リモコンの操作部で行うか、室内機２の操作部で行う。また、図示しない制御装置からの指令により、周囲の環境条件や空気調和機の運転経過などに応じて自動的に運転モードの切換えを行うこともできる。
【００６１】
換気装置３２の運転は、室内機２の冷暖房運転と併用して運転することもできれば、換気装置３２単独で運転することもできる。さらに、換気装置３２にタイマーを設けて一定時間運転後、自動的に運転を停止させることも可能である。
【００６２】
吸込み切換ダンパー３２９−１を操作することで、換気装置吸込み口３２５から室内空気を吸い込む排気吸込み風路３２８−５、あるいは換気装置給排気口３２７から室外空気を吸い込む給気吸込み風路３２８−２と換気ファン吸込み口３２３を連通させる。
【００６３】
また、吹出し切換ダンパー３２９−２を操作することで、換気装置吹出し口３２６から空気を室内へ吹出す給気吹出し風路３２８−４、あるいは換気装置給排気口３２７から室外へ空気を排気する給排気風路３２８−３と換気ファン吹出し口３２４を連通させる。
【００６４】
このように、吸込み切換ダンパー３２９−１、吹出し切換ダンパー３２９−２を操作して換気装置３２の運転モードを給気運転または排気運転モードのいずれかに切換えている。
【００６５】
即ち、給気運転では、吸込み切換ダンパー３２９−１が図５に示す（ｂ）側にあって換気装置吸込み口３２５を遮断し給気吸込み風路３２８−２を開放するので、給気吸込み風路３２８−２を通して室外空気が吸い込まれる。このとき、吹出し切換ダンパー３２９−２は図５に示す（ａ）側にあって給気吹出し風路３２８−４を開放し排気吹出し風路３２８−１を遮断するので、換気ファン吹出し口３２４へ吹出された室外空気は給気吹出し風路３２８−４に送風される。
【００６６】
送風された室外空気は換気装置吹出し口３２６から室内機内に吹出される。そして、本実施例の場合、換気ファン３２１によって吸い込まれる室外空気は、換気装置給排気口３２７から吸い込まれ、給気プレフィルター３２７−１の表面で空気中に含まれている塵埃が取り除かれ、給排気風路３２８−３を通った後に、粒径１０μｍ以上の塵埃を９９．９％に近い高効率で捕集することができ、更に、脱臭機能も有する給気空清フィルター３２７−２で空気中に含まれている微小な塵埃と臭気が取り除かれ、給気吸込み風路３２８−２に導かれ、換気ファン３２１に吸い込まれる。
【００６７】
次に、排気運転では、吸込み切換ダンパー３２９−１が図５に示す（ａ）側にあって換気装置吸込み口３２５を開放し給気吸込み風路３２８−２を遮断するので、換気装置吸込み口３２５を通して室内空気が吸い込まれるが、吹出し切換ダンパー３２９−２は（ｂ）側にあるので、給気吹出し風路３２８−４が遮断され排気吹出し風路３２８−１が開放される。これによって、換気ファン吹出し口３２４へ吹出された室内空気は排気吹出し風路３２８−１に流れ、給気プレフィルター３２７−１を通って換気装置給排気口３２７から室外に排気される。
【００６８】
また、運転停止時には、吸込み切換ダンパー３２９−１および吹出し切換ダンパー３２９−２はともに図５に示す（ｂ）側にあって給気吸込み風路３２８−２を通してあるいは排気吹出し風路３２８−１を通して室外空気が室内に侵入してしまうことを防いでいる。そのため、運転停止時に室外空気が給排気風路を通して侵入するのを防ぐための逆風防止用弁を設ける必要がない。
【００６９】
次に、電気集塵空清ユニット４０について図７から図９を用いて説明する。図７は図３の室内機に用いる電気集塵空清ユニット４０の外観斜視図、図８は図７の電気集塵空清ユニット４０の断面図、図９は図７の電気集塵空清ユニット４０の動作説明図である。
【００７０】
図７及び図８において、４０で総括的に示すのは電気集塵空清ユニットであり、室内機２の機内を流れる空気流中で、プレフィルター２３１と室内熱交換器３３との間に置かれ、枠体４０１内に針状の放電電極４０２、帯状の放電対向電極４０３、ハニカム状の格子をもった誘電体フィルター４０５、網状の接地電極４０４、脱臭フィルター４０６を内蔵している。
【００７１】
放電電極４０２は高圧側接続端子４０２ａに導通し、放電対向電極４０３及び接地電極４０４は共に接地側接続端子４０４ａに導通している。高圧側接続端子４０２ａ及び接地側接続端子４０４ａには図示しない高圧電源が接続され、放電対向電極４０３、接地電極４０４を接地して放電電極４０２に負の高電圧を印加する如くになっている。
【００７２】
網状の接地電極４０４は放電電極４０２の下流側に位置して設けられ、その放電電極４０２側に誘電体フィルター４０５が設けられ、誘電体フィルター４０５の接地電極４０４側を負に、放電電極４０２側を正に誘電分極される。
【００７３】
これにより放電電極４０２から放出された電子が付着して負に帯電した気流中のダストは、誘電体フィルター４０５の正の分極部に吸引され捕捉される。電気集塵空清ユニット４０はこのように構成されているので、粒径が０．０１μｍ程度の微細なダストも効率よく集塵できる。ダストが除去された気流は網状の接地電極４０４を通り抜け、脱臭フィルター４０６に入り、臭気を除去され清浄になって電気集塵空清ユニット４０から流出する。放電対向電極４０３は放電電極４０２からの電子の放出を惹起させるための電極で誘電体フィルター４０５の適所から放電電極４０２側に飛び出している。
【００７４】
誘電体フィルター４０５を使用することによりフィルターに保持できる塵埃の量が増加し、また、フィルターを掃除する時には水洗いをすることで帯電が除去され簡単に塵埃を離脱させることができる。
【００７５】
次に、本実施例で使用するダストセンサー１５８について図１０及び図１１を用いて説明する。図１０は図１に室内機１に用いるダストセンサー１５８の動作説明図、図１１は図１０のダストセンサー１５８の受光素子１５８ｊの散乱光受光波形図である。
【００７６】
一般にコロイド溶液や煙霧質などに光を当てたとき、その微小な粒子によって光が散乱され、光の通路が一様に光って見える現象が知られている。この現象はチンダル現象と言われ、この現象を利用して目には見えない微細な粒子でもその存在を検知することができる。さらに、当てる光を一定にした場合に、粒子の大きさによりその散乱光の強度が変わることから散乱光の強度を観察することで粒子のおおよその径を知ることができる。
【００７７】
図１０において、１５８で総括的に示すダストセンサーは、この上述した方法によるダストセンサーの一例であり、外殻１５８ａの下部に被測定空気の導入口１５８ｃを有し、外殻１５８ａの上部に被測定空気の排出口１５８ｄを有している。この外殻１５８ａの内部に導入口１５８ｃと排出口１５８ｄに連通する測定室１５８ｅが有り、測定室１５８ｅ内の導入口１５８ｃの近傍にヒーター１５８ｆを有し、ヒーター１５８ｆに通電して加熱による上昇気流を発生させる。
【００７８】
これにより導入口１５８ｃから排出口１５８ｄに向かう被測定空気の気流が生じ、測定室１５８ｅの測定スポット１５８ｇを被測定空気が通過する。この通過する被測定空気に発光ダイオード１５８ｈからの光を照射し、被測定空気に含まれるダストにより生じた散乱光を集光レンズ１５８ｉで集光して受光素子１５８ｊで受光する。受光データを解析して被測定空気に含まれるダストの粒径と濃度を測定する。
【００７９】
このとき、集光レンズ１５８ｉで絞り込んだ狭い範囲の測定スポット１５８ｇを通過するダストだけを対象にして散乱光の強度を測定する。これと測定の周期を十分短くすることにより、測定スポット１５８ｇを通過するダストの個数が１測定周期中に１個以下となる測定周期が大半となるようにしている。勿論、対象とするダストの濃度範囲に応じて、測定周期、ヒーター１５８ｆへの入力等を増減して適正な値にするのは自明なことである。この種の技術は特開平２−１６２２３８等に紹介されている。
【００８０】
一般に気になる室内ダストの主なものは、花粉症の原因となる杉花粉、桧花粉、喘息などの発作の引き金となるハウスダスト、埃っぽいと感ずる綿埃を主とした埃、煙いと感ずる煙草の煙を主とした煙である。これらのダストの大きさは、煙＜ハウスダスト≒花粉＜埃の順になり、その大略の大きさは煙が０．０１〜２μｍ、ハウスダストが０．８〜１００μｍ、花粉が６〜１００μｍ、特に花粉症の主原因となる杉花粉、桧花粉の大きさは２０〜４０μｍ、埃が１００μｍ以上である。これらの粒径の違いからダストを区分し適切に処理することができる。
【００８１】
本実施例で使用するダストセンサーは、散乱光の強度がダストの粒径により変化することを利用して、花粉やハウスダスト、埃などの比較的大きい粒径のダスト（以下、この境界となる粒径を上位径と言う。）とタバコの煙などの比較的小さい粒径のダスト（以下、この境界となる粒径を下位径と言う。）を識別できる。さらに、内部に制御装置を備え、５Ｖの直流電源を供給することにより、ヒーター１５８ｆ、発光ダイオード１５８ｈへの通電、受光素子１５８ｊで受光するダストの散乱光の強度の時間変化から上位径以上のダストを検知した時間（％）と下位径以上のダストを検知した時間（％）を演算し出力する機能も有している。
【００８２】
このようなセンサーに類似するものとしては例えば神栄株式会社製のホコリセンサＰＰＤ４ＮＳなどが有る。
【００８３】
次に、このダストセンサー１５８の動作を図１１を用いて説明する。図１１（ａ）は受光素子１５８ｊの散乱光受光波形図、図１１（ｂ）は上位径以上のダストによる散乱光を検知した時の負論理のパルス波形図、図１１（ｃ）は下位径以上のダストによる散乱光を検知した時の負論理のパルス波形図である。
【００８４】
花粉やハウスダスト、埃などの粒径の大きいダストが測定スポット１５８ｇを通過するときには、ダストにより散乱される光の強度は強く、受光素子１５８ｊには大きい電流が流れる。これに適切な閾値（図１１（ａ）のＩｌ）を設定することで花粉やハウスダスト、埃などの粒径が上位径以上の大きなダストが測定スポット１５８ｇを通過するときに負論理のパルス波形を図１１（ｂ）の如く出力することができる。
【００８５】
同様に、タバコの煙などの粒径の小さいダストが測定スポット１５８ｇを通過するときには、ダストにより散乱される光の強度は弱く、受光素子１５８ｊには小さい電流が流れる。これに適切な閾値（図１１（ａ）のＩｓ）を設定することでタバコの煙などの粒径が下位径以上のダストが測定スポット１５８ｇを通過するときに負論理のパルス波形を図１１（ｃ）の如く出力することができる。
【００８６】
１個のダストが測定スポット１５８ｇを通過する間、散乱光が観測されるが前述したように測定スポット１５８ｇを集光レンズ１５８ｉで絞り込んだ狭い範囲とし、測定の周期を１ｍｓと十分短くすることにより、測定スポット１５８ｇを通過するダストの個数が１測定周期中に１個以下となる測定が大半となるようにしているので、散乱光の強度によりダストの粒径を区分でき、花粉やハウスダスト、埃などの粒径の大きなダストとタバコの煙などの粒径の小さいダストとを識別できる。
【００８７】
このように、室内のダストの中から花粉、ハウスダストや埃などの粒径の大きいダストを散乱光の強度が大きい特定のグループとして識別することができる。この場合、本実施例ではダストの散乱光の強度によってダストを識別しているが、ダストの識別法としてはこの方法以外にも個々のダストの形状を把握して認識する方法、レーザー光線を用いて散乱光の空間分布を把握して認識する方法など種々の方法が考えられるが、特定グループの識別には用途に応じた十分な信頼性を確保してあればどのような方法を用いても良い。
【００８８】
さらに、ダストセンサー１５８の制御装置は図１１（ｂ）のＬｏ出力の時間を１秒間積算し、上位径以上の大きい粒径のダストを検知した時間比率（％）をＬｄＬｏＳとし、図１１（ｃ）のＬｏ出力の時間を１秒間積算し、下位径以上の粒径のダストを検知した時間比率（％）をＳｄＬｏＳとして出力する。この場合、小さい粒径ダストの検知時間には大きい粒径ダストの検知時間が含まれているので、小さい粒径ダストの濃度の決定には、ＳｄＬｏＳに代えて、修正時間比率ＳｄＡｍＳ＝ＳｄＬｏＳ−ＬｄＬｏＳを使用する。
【００８９】
この１秒ごとの時間比率（％）ＬｄＬｏＳ、修正時間比率ＳｄＡｍＳの３０回分のデータを制御装置の記憶部に蓄積し、３０回分の平均を平均時間比率ＬｄＬｏ，修正平均時間比率ＳｄＡｍのデータと、予め粒径分布と濃度が既知のダストで確認しておいた平均時間比率ＳＬｄＬｏ、修正平均時間比率ＳＳｄＡｍを比較し濃度を決定する。あるいは、このデータと予め確認しておいた精密なダストのパーティクルカウンターのカウント数との相関関係を基に濃度を決定する。このようにして花粉やハウスダスト、埃などの粒径の大きいダストとタバコの煙などの粒径の小さいダストを識別し、その濃度も確定することができる。
【００９０】
尚、本実施例ではダストの濃度を散乱光強度が閾値以上の時間を積算して濃度を決定しているが、ダストの濃度を決定する方式としては、この方式以外にも散乱光と標準光を比較する比色計式、測定スポットを広くして散乱光の強度を測定する光度計式、ダストの散乱光を計数する計数計式など種々の方式が考えられるが、濃度の決定には十分な信頼性を確保してあればどのような方法を用いても良い。
【００９１】
次に、このダストセンサー１５８を使用した空気調和機１のダスト除去運転動作について図１２、図１３、図１４〜図１６、図１７〜図１９を用いて説明する。図１２、図１３はリモコン機能の説明図である。図１４〜図１６はエアコン運転制御要部フローである。図１７〜図１９はダスト除去運転制御要部フローである。
【００９２】
例えば、空気調和機１を設置した室内で、居住者が花粉の気配を感じて花粉除去の必要性を認めた場合、リモコン５を室内機２に向け、花粉ボタン５３ｊを押下する。または、花粉の飛ぶ時期になったらリモコン５から花粉見張り機能の設定を室内機２に指示する。
【００９３】
尚、この花粉見張り機能の設定は１シーズン１回の操作になるので、室内機本体の適所に設けても使用者の利便性は余り損なわれず、リモコン５の操作が簡便化される。この場合、この花粉見張り機能の解除はシーズンオフまで必要なく、９０日以上の自動解除方式にして、例えば２月末に花粉見張り機能を設定したら６月始めに自動解除されるようにしても良い。
【００９４】
室内機２の制御装置であるマイコンは、図１４に示すように、所定の周期でリモコン５からの信号の有無をステップ１５（以下Ｓ１５の如くステップをＳと略す。）で監視しており、信号が有る場合は、Ｓ２０に進みリモコン５からのデータを読込んだ後に、Ｓ２５の空気調和機１の停止指示信号の有無の判定に進む。Ｓ２０で読込んだデータに空気調和機１の停止指示信号が有る場合は、Ｓ５０に進み各種のフラグをオフし、Ｓ６０で空気調和機１の停止処理を行い、リモコン５からの信号を監視するためＳ１５に戻る。この場合、後述するように、花粉見張りフラグと汚れ見張りフラグはオフせず、直前の設定のまま維持する。
【００９５】
Ｓ２５で停止信号が無い場合は、Ｓ３０に進みリモコン５からの指示信号に応じて各種の指示フラグをオンまたはオフに設定し、Ｓ４０に進み室内外温度、湿度などの各種センサーからのデータを読込む。Ｓ１５でリモコン５からの信号が無い場合は、直前の運転を継続するため直接Ｓ４０に進み、前述のように各種センサーからのデータを読込む。Ｓ３０での各種指示フラグの設定、及び、Ｓ４０で読み込んだデータを空気調和機運転制御の基データとして記号（Ａ）を介してＳ１００（図１５参照）に進み以降の制御を行う。
【００９６】
この場合、リモコン５では各種の運転を選択して指示することができるが、その中で空気調和機１の構成上、択一にならざるをえないものがあり、本実施例では花粉見張りと汚れ見張りは同一の換気装置の制御が含まれるため、いずれか一方の指示しかできない。又同様に、自動運転指示、暖房運転指示、除湿運転指示、冷房運転指示、涼快運転指示も同一の冷凍サイクルの制御であるため、この内の何れか一つの指示しかできない。又同様に、給気運転指示、排気運転指示も同一の換気装置の制御であるため、いずれか一方の指示しかできない。又同様に、風速自動指示、風速強指示、風速弱指示、風速微指示、風速静指示も同一の送風機の制御であるため、この内の何れか一つの指示しかできない。
【００９７】
図１５に示すＳ１００でリモコン５からの運転指示が自動運転の場合は、Ｓ３０で自動運転指示フラグがオンになっているので、Ｓ１００でこれを判定してＳ１０５に進む。Ｓ１０５で室内外の温湿度条件に応じて空気調和機１の運転種別を選定し、Ｓ１１５で選定種別が暖房の場合はＳ１４５に進む。Ｓ１４５で暖房運転制御を行い、Ｓ１４５の暖房運転制御により演算された風速をＳ１５０で風速フラグに設定し、Ｓ２７５に進む。
【００９８】
Ｓ１１５で選定種別が暖房で無い場合は、Ｓ１２０に進み選定種別が除湿の場合はＳ１７５に進む。Ｓ１７５で除湿運転制御を行い、Ｓ１７５の除湿運転制御により演算された風速をＳ１８０で風速フラグに設定し、Ｓ２７５に進む。
【００９９】
Ｓ１２０で選定種別が除湿で無い場合は、Ｓ１２５に進み選定種別が冷房の場合はＳ２０５に進む。Ｓ２０５で冷房運転制御を行い、Ｓ２０５の冷房運転制御により演算された風速をＳ２１０で風速フラグに設定し、Ｓ２７５に進む。
【０１００】
Ｓ１２５で選定種別が冷房で無い場合は記号（Ｄ）を介してＳ２６０に進む。ここでリモコン５からの指示が空気清浄運転も指示している場合は、Ｓ３０で空気清浄運転指示フラグがオンになっているので、Ｓ２６０でこれを判定してＳ２６５に進む。Ｓ２６５で空気清浄運転制御を行い、Ｓ２６５の空気清浄運転制御により演算された風速をＳ２７０で風速フラグに設定し、Ｓ２７５に進む。
【０１０１】
Ｓ２６０で空気清浄運転指示フラグがオフと判定された場合は、Ｓ２８０に進み風速フラグを停止に設定し、後述するサイクル空清運転フラグをオフに設定し、記号（Ｃ）を介してＳ３３０（図１６参照）に進む。
【０１０２】
次に、Ｓ１００に戻って、リモコン５からの指示が自動運転以外の場合について述べる。リモコン５からの指示が暖房運転の場合は、Ｓ３０で暖房運転指示フラグがオンになっているので、Ｓ１４０でこれを判定して、Ｓ１４５に進み前述のように暖房運転制御を行い、Ｓ１４５の暖房運転制御により演算された風速をＳ１５０で風速フラグに設定し、Ｓ２７５に進む。
【０１０３】
リモコン５からの指示が除湿運転の場合は、Ｓ３０で除湿運転指示フラグがオンになっているので、Ｓ１７０でこれを判定して、Ｓ１７５に進み前述のように除湿運転制御を行い、Ｓ１７５の除湿運転制御により演算された風速をＳ１８０で風速フラグに設定し、Ｓ２７５に進む。
【０１０４】
リモコン５からの指示が冷房運転の場合は、Ｓ３０で冷房運転指示フラグがオンになっているので、Ｓ２００でこれを判定して、Ｓ２０５に進み前述のように冷房運転制御を行い、Ｓ２０５の冷房運転制御により演算された風速をＳ２１０で風速フラグに設定し、Ｓ２７５に進む。
【０１０５】
リモコン５からの指示が涼快運転の場合は、Ｓ３０で涼快運転指示フラグがオンになっているので、Ｓ２３０でこれを判定して、Ｓ２３５に進み涼快運転制御を行い、Ｓ２３５の涼快運転制御により演算された風速をＳ２４０で風速フラグに設定し、Ｓ２７５に進む。
【０１０６】
この涼快運転は冷房運転と除湿運転を組合せた運転であり、室温と室外温から設定温度を自動的に設定し、夏期における操作の簡便性と快適性の維持を目的とした運転である。
【０１０７】
次に、リモコン５からの指示が冷凍サイクルの運転を伴わない空気清浄運転を指示している場合は、Ｓ３０で空気清浄運転指示フラグがオン、自動運転指示、暖房運転指示、除湿運転指示、冷房運転指示、涼快運転指示の各フラグがオフになっている。Ｓ１００、Ｓ１４０、Ｓ１７０、Ｓ２００、Ｓ２３０、Ｓ２６０でこれを判定してＳ２６５に進む。Ｓ２６５で前述のように空気清浄運転制御を行い、Ｓ２６５の空気清浄運転制御により演算された風速をＳ１５０で風速フラグに設定し、Ｓ２７５に進む。
【０１０８】
Ｓ２７５で冷凍サイクル運転の制御または空気清浄運転の制御が行われているか否かを表すサイクル空清運転フラグをオンに設定し、記号（Ｂ）を介してＳ３００（図１６参照）に進む。
【０１０９】
図１６に示すように、リモコン５からの指示が冷凍サイクルの運転を伴う空気清浄運転を指示している場合は、前述したように、Ｓ１４５、Ｓ１７５、Ｓ２０５、Ｓ２３５の何れかのステップを通りＳ２８０に達する場合がある。この場合、Ｓ２６５を通らないので、リモコン５から指示された空気清浄運転が行われていない。この不具合を解消するため、Ｓ３００、Ｓ３０５でＳ２６０、Ｓ２６５と同様の制御を行い、Ｓ３３０に進む。この場合、風速フラグは既にＳ１５０、Ｓ１８０、Ｓ２１０、Ｓ２４０で設定されているので、再度設定する必要はない。Ｓ３００で空気清浄運転指示フラグがオフと判定された場合は、直接Ｓ３３０に進む。
【０１１０】
次に、リモコン５からの指示に給気運転が含まれている場合は、Ｓ３０で給気運転指示フラグがオンになっているので、Ｓ３３０でこれを判定して、Ｓ３３５に進み給気運転制御を行い、Ｓ３４０で給気運転フラグをオン、Ｓ３４５で排気運転フラグをオフしてＳ３９０に進む。
【０１１１】
リモコン５からの指示に排気運転が含まれている場合は、Ｓ３０で排気運転指示フラグがオン、給気運転指示フラグがオフになっているので、Ｓ３３０、Ｓ３６０でこれを判定して、Ｓ３６５に進み排気運転制御を行い、Ｓ３７０で排気運転フラグをオン、Ｓ３７５で給気運転フラグをオフしてＳ３９０に進む。
【０１１２】
リモコン５からの指示に給気運転も排気運転も含まれていない場合は、Ｓ３０で給気運転指示フラグ、排気運転指示フラグがともにオフになっているので、これをＳ３３０、Ｓ３６０で判定してＳ３８０に進み、Ｓ３８０で給気運転フラグをオフ、Ｓ３８５で排気運転フラグをオフしてＳ３９０に進む。
【０１１３】
このように、電源スイッチは入っているが、ダスト除去運転の時に駆動される電気集塵空清ユニット、送風機、換気装置が停止している状態を空気調和機の停止状態と言い、自動運転の運転条件不成立状態や入りタイマーによる運転待ち状態も含んでいる。
【０１１４】
Ｓ３９０は下位プログラムのダスト除去運転制御であり、次に説明するダスト除去運転制御を行う。Ｓ３９０でダスト除去運転制御を行った後、制御は記号（Ｅ）を介してＳ１５に戻り、リモコン５からの指示を監視すると共に、空気調和機１の運転を制御し室内の快適な環境を維持し続ける。
【０１１５】
次に、ダスト除去運転について図１７〜図２１を用いて説明する。
【０１１６】
ダスト除去運転は、リモコン５で花粉見張りまたは汚れみはり機能が設定されていて、且つ、室内のダストの濃度が高い時か、リモコン５で花粉ボタン５３ｊが押下された時に行なわれる。リモコン５で花粉ボタン５３ｊが押下されるか花粉見張りまたは汚れみはり機能が設定されると空気調和機運転制御はＳ３０で花粉ボタンフラグ又は／並びに花粉見張りフラグ若しくは汚れ見張りフラグをオンにし、前述したように、種々のステップを通りＳ３９０で下位プログラムであるダスト除去運転制御に進む。この結果、下位プログラムであるダスト除去運転制御がＳ４００で開始する。
【０１１７】
先ず、図１７に示すように、Ｓ４０５で花粉ボタンフラグがオンである場合は、Ｓ４３０に進み、ダストセンサー１５８への通電の有無をチェックし、通電されていなければ直ちにダストセンサー１５８への通電を開始（Ｓ４３５）し、ダストセンサー１５８のヒーター１５８ｆの加熱安定時間を確保するため所定時間（１分）のインターバルをセット（Ｓ４４０）する。次に、風速フラグが停止に設定されているか否かをＳ４４５で確認する。風速フラグが停止に設定されていれば、送風機３１を最低風速の静モードで運転（Ｓ４５０）する。
【０１１８】
これはダストセンサー１５８の使用開始に先立ち、ダストセンサー１５８の測定室１５８ｅに室内の空気を取込むために行うもので、ダストセンサー１５８のヒーター１５８ｆの加熱安定時間を確保するための１分のインターバル中の運転である。
【０１１９】
本実施例ではこのインターバルを１分と定めたが、これはヒーター１５８ｆの加熱安定時間のためであるので、ダストセンサー１５８の型式により適切な時間を定める必要が有る。また、ダストセンサー１５８立上げ時の送風機運転時間をヒーター１５８ｆの加熱安定時間と同じにしてあるが、ダストセンサー１５８の型式によってはこれと別のインターバルが必要になることも有るので試作機などによる確認が必要である。
【０１２０】
次に、Ｓ４５５に進み現在の時刻を送風機停止直前時刻Ｔｏｎに格納し、Ｓ４６０に進みダストセンサー１５８からのデータ読込み時刻Ｔｄｔに現在時刻を格納し、Ｓ９９０に進み上位プログラムに戻る。
【０１２１】
これは、リモコン５からの運転指示が無い状態で、花粉見張り又は汚れ見張りのみが設定されている時に、ダストセンサー１５８の測定室１５８ｅ内のダストの量が少ないと、送風機３１を運転しない時間が続くことになる。このような状態が続くとダストセンサー１５８の測定室１５８ｅ内の空気と室内空気のダストの濃度に開きが出て、ダストセンサー１５８が不正確なデータを出力する。これを防ぐため、３時間ごとに２０秒間だけ送風機３１を運転する。この３時間の時間間隔を計るため送風機３１の停止直前時刻Ｔｏｎを、後に使用するためである。
【０１２２】
データ読込み時刻Ｔｄｔに現在時刻を記憶する理由に付いては後述する。
【０１２３】
実施例ではこの停止時間と運転時間を３時間と２０秒に定めたが、この時間は空気調和機２の構造やダストセンサー１５８の取付部の周囲構造によって、適切な値が変わるので試作機などで確認する必要が有る。
【０１２４】
Ｓ４４５で風速フラグが停止に設定されていない場合は、風速フラグがＳ１５０、Ｓ１８０、Ｓ２１０、Ｓ２４０、Ｓ２７０の何れかで設定されているのでその設定されている風速で送風機を運転し、Ｓ４５５に進み前述と同様の制御の後、上位プログラムに戻る。
【０１２５】
Ｓ４３０でダストセンサー１５８への通電が有る場合は、Ｓ４６５に進みセットしたインターバル（Ｓ４４０）の１分が経過していなければ、Ｓ４４５に進み前述と同様の制御の後、上位プログラムに戻る。
【０１２６】
Ｓ４６５で１分のインターバルが経過した後は、Ｓ４７０に進み現在時刻から前回のデータ読込み時刻Ｔｄｔを減じた値と１秒とを比較する。
【０１２７】
Ｓ４７０で現在時刻から前回のデータ読込み時刻Ｔｄｔを減じた値が１秒未満の場合は、Ｓ５３０に進んでサイクル空清運転フラグの状態を確認する。
【０１２８】
Ｓ４７０で現在時刻から前回のデータ読込み時刻Ｔｄｔを減じた値が１秒以上の場合は、Ｓ４８０に進みデータ読込み時刻Ｔｄｔを現在時刻に更新し、Ｓ４８５に進みダストセンサー１５８から上位径以上のダストを検知した時間比率ＬｄＬｏＳ（以下これを上位径時間比率と言う。）と下位径以上のダストを検知した時間比率ＳｄＬｏＳ（以下これを下位径時間比率と言う。）のデータを読込む。
【０１２９】
次に、前述したように下位径時間比率ＳｄＬｏＳには上位径時間比率ＬｄＬｏＳが含まれているのでＳ４９０で修正下位径時間比率ＳｄＡｍＳ＝ＳｄＬｏＳ−ＬｄＬｏＳを演算し、Ｓ４９５に進む。
【０１３０】
Ｓ４９５でメモリーブロックＬｄＭ、ＳｄＭのＮ＋１番目のメモリーにＬｄＬｏＳ、ＳｄＡｍＳのデータを格納し、Ｓ５００でメモリーブロックＬｄＭ、ＳｄＭ内のデータの平均を演算し、上位径平均時間比率ＬｄＬｏ、修正下位径平均時間比率ＳｄＡｍを演算する。
【０１３１】
次に、Ｓ５０５でＮに１を加算し、Ｓ５１５でＮが３０未満である場合は、Ｓ５３０に進み、サイクル空清運転フラグの状態を確認する。Ｓ５１５でＮが３０以上の場合は、Ｓ５２０に進みＮを０にクリアしてＳ５３０に進む。
【０１３２】
Ｓ５３０でサイクル空清運転フラグがオンに設定（Ｓ２７５）されている場合は、Ｓ５４０に進み、演算風速フラグＦＳ０を現在の風速フラグと同じに設定し、記号（Ｇ）を介してＳ８００に進む。
【０１３３】
これはダスト除去運転では送風機３１の風速はサイクル運転、空気清浄運転で設定される風速を優先して使用し、室内温度、湿度を安定させ快適性を損なわないようにしているためである。
【０１３４】
Ｓ５３０でサイクル空清運転フラグがオン（Ｓ２７５）されていない場合は、記号（Ｈ）を介してＳ６７０に進む。
【０１３５】
本実施例では、上位径を５μｍ、下位径を１μｍとし、ほぼ全ての花粉、埃及び大きめのハウスダストを対象にしてダスト除去運転ができるようにし、且つ、煙草の煙の中に粒子の数としては少ないが必ず含まれている１μｍ以上の成分を検知してダスト除去運転ができるようにした。尚、杉花粉、桧花粉に的を絞って上位径を１０μｍとして、杉花粉、桧花粉だけは確実に捉えるようにし、ダスト除去運転時間を削減して無駄な電力使用を避けることができる。また、粒径以外によるダストの識別法を併用して、下位径を０．０１〜１μｍ範囲に選び、煙草の煙のより粒子数の多い粒径で確実に検知してダスト除去運転をできるようにしても良い。
【０１３６】
Ｓ４０５で花粉ボタンフラグがオフの場合は、Ｓ４１０に進み花粉見張りフラグの状態を確認し、花粉見張りフラグがオンの場合は、Ｓ４３０に進み前述と同様の制御を行う。
【０１３７】
Ｓ４１０で花粉見張りフラグがオフの場合は、Ｓ４１５に進み汚れ見張りフラグの状態を確認し、汚れ見張りフラグがオンの場合は、Ｓ４３０に進み前述と同様の制御を行う。
【０１３８】
Ｓ４１５で汚れ見張りフラグがオフの場合は、Ｓ４１８に進み風速フラグに設定された風速で送風機を運転し、Ｓ４２０に進んでダストセンサーへの通電を停止しＳ９９０で上位プログラムに戻る。
【０１３９】
次に、上位径平均時間比率ＬｄＬｏ、修正下位径平均時間比率ＳｄＡｍから送風機３１の風速を決定する手順について図１８、図２０を用いて説明する。図２０はダストグループの風速切換表である。
【０１４０】
本実施例はダストの濃度に応じ送風機３１の風速を変化させ、ダストの濃度が高い時にはより風速を大きくして電気集塵空清ユニット４０を通過する室内空気を増し、電気集塵空清ユニット４０の単位時間当りの集塵量を大きくして室内のダストを速やかに少なくするものである。このため、予め実験によって定めた適切なダストの濃度で風速が切換わるよう図２０に示すような風速切換えの閾値となる時間比率Ａ１〜Ｄ２を定めておく。これらの閾値Ａ１〜Ｄ２は制御プログラムから何時でも参照できるように制御装置の記憶部に収納されている。
【０１４１】
先ず、上位径以上の粒径の大きいダストの濃度に対する適切な風速を選択するための手順を以下に示す。花粉ボタンの押下や花粉見張りによるダスト除去運転の場合は前述のように上位径以上の大きな粒径のダストを見張れば良く、汚れ見張りによるダスト除去運転の場合はタバコの煙などの下位径以上の粒径のダストとハウスダストや埃などの上位径以上の大きい粒径のダストの両方を見張る必要がある。
【０１４２】
図１８に示すように、Ｓ６７０で上位径平均時間比率ＬｄＬｏが記憶部のＣ２より小さい場合は、Ｓ６７５に進み花粉ボタンフラグがオンの場合は、Ｓ６８０に進んで上位径平均時間比率から判定した上位径風速ＦＳ２を静モードに設定し、Ｓ７３０に進む。
【０１４３】
Ｓ６７５で花粉ボタンフラグがオフの場合は、Ｓ６８５に進み上位径平均時間比率ＬｄＬｏが記憶部のＤ２より小さい場合は、Ｓ６９０に進んで上位径平均時間比率から判定した上位径風速ＦＳ２を停止モードに設定し、Ｓ７３０に進む。
【０１４４】
Ｓ６８５で上位径平均時間比率ＬｄＬｏが記憶部のＤ２より大きい場合は、Ｓ６８０に進んで前述のように上位径風速ＦＳ２を静モードに設定し、Ｓ７３０に進む。
【０１４５】
Ｓ６７０で上位径平均時間比率ＬｄＬｏが記憶部のＣ２より大きい場合は、Ｓ６９５に進み上位径平均時間比率ＬｄＬｏが記憶部のＢ２より小さい場合は、Ｓ７００に進んで上位径平均時間比率から判定した上位径風速ＦＳ２を微モードに設定し、Ｓ７３０に進む。
【０１４６】
Ｓ６９５で上位径平均時間比率ＬｄＬｏが記憶部のＢ２より大きい場合は、Ｓ７０５に進み上位径平均時間比率ＬｄＬｏが記憶部のＡ２より小さい場合は、Ｓ７１０に進んで上位径平均時間比率から判定した上位径風速ＦＳ２を弱モードに設定し、Ｓ７３０に進む。
【０１４７】
Ｓ７０５で上位径平均時間比率ＬｄＬｏが記憶部のＡ２より大きい場合は、Ｓ７１５に進んで上位径平均時間比率から判定した上位径風速ＦＳ２を強モードに設定し、Ｓ７３０に進む。
【０１４８】
次に、上位径以下の小さい粒径のダストに対する適切な風速を選択するための手順を以下に示す。Ｓ７３０で修正下位径平均時間比率ＳｄＡｍが記憶部のＣ１より小さい場合は、Ｓ７３５に進み花粉ボタンフラグがオンの場合は、Ｓ７４０に進んで修正下位径平均時間比率から判定した下位径風速ＦＳ１を静モードに設定し、Ｓ７８０に進む。
【０１４９】
Ｓ７３５で花粉ボタンフラグがオフの場合は、Ｓ７４５に進み修正下位径平均時間比率ＳｄＡｍが記憶部のＤ１より小さい場合は、Ｓ７５０に進んで修正下位径平均時間比率から判定した下位径風速ＦＳ１を停止モードに設定し、Ｓ７８０に進む。
【０１５０】
Ｓ７４５で修正下位径平均時間比率ＳｄＡｍが記憶部のＤ１より大きい場合は、Ｓ７４０に進んで前述のように下位径風速ＦＳ１を静モードに設定し、Ｓ７８０に進む。
【０１５１】
Ｓ７３０で修正下位径平均時間比率ＳｄＡｍが記憶部のＣ１より大きい場合は、Ｓ７５５に進み修正下位径平均時間比率ＳｄＡｍが記憶部のＢ１より小さい場合は、Ｓ７６０に進んで修正下位径平均時間比率から判定した下位径風速ＦＳ１を微モードに設定し、Ｓ７８０に進む。
【０１５２】
Ｓ７５５で修正下位径平均時間比率ＳｄＡｍが記憶部のＢ１より大きい場合は、Ｓ７６５に進み修正下位径平均時間比率ＳｄＡｍが記憶部のＡ１より小さい場合は、Ｓ７７０に進んで修正下位径平均時間比率から判定した下位径風速ＦＳ１を弱モードに設定し、Ｓ７８０に進む。
【０１５３】
Ｓ７６５で修正下位径平均時間比率ＳｄＡｍが記憶部のＡ１より大きい場合は、Ｓ７７５に進んで修正下位径平均時間比率から判定した下位径風速ＦＳ１を強モードに設定し、Ｓ７８０に進む。
【０１５４】
Ｓ７８０で花粉ボタンフラグがオンの場合は、Ｓ７９５に進み演算風速ＦＳ０＝上位径風速ＦＳ２にし、記号（Ｇ）を介してＳ８００（図１９参照）に進む。
【０１５５】
Ｓ７８０で花粉ボタンフラグがオフの場合は、Ｓ７８５に進み花粉見張りフラグの状態を確認する。Ｓ７８５で花粉見張りフラグがオンの場合は、Ｓ７９５に進み前述のように演算風速ＦＳ０＝上位径風速ＦＳ２にし、Ｓ８００に進む。
【０１５６】
Ｓ７８５で花粉見張りフラグがオフの場合は、Ｓ７９０に進み上位径風速ＦＳ２と下位径風速ＦＳ１を比較する。Ｓ７９０で上位径時風速ＦＳ２が下位径風速ＦＳ１より速い場合は、Ｓ７９５に進み前述のように演算風速ＦＳ０＝上位径風速ＦＳ２にし、Ｓ８００に進む。
【０１５７】
Ｓ７９０で下位径風速ＦＳ１が上位径風速ＦＳ２より速い場合は、Ｓ７９７に進み演算風速ＦＳ０＝下位径風速ＦＳ１にし、Ｓ８００に進む。
【０１５８】
これは上位径以上の粒径の大きいダストの除去に適切な風速と上位径以下の小さい粒径のダストの除去に適切な風速が一致しない場合は、速い方の風速を採用しダストの除去力の大きいほうの風速で運転するためである。
【０１５９】
尚、このように運転する時に、演算結果の時間比率が閾値に近い場合は、測定データのバラツキで送風機の運転風速が頻繁に切換わる恐れが有る。このような場合は風速を上げる場合の閾値と風速を下げる場合の閾値にヒシテリシスをもたせたり、風速が切換わってから一定の時間は風速の更なる切換わりを禁止するなどして送風機運転の安定性を確保するのが良い。
【０１６０】
次に、ダスト除去運転時の換気装置３２と電気集塵空静ユニット４０の運転制御について図１９、図２１を用いて説明する。図２１はダストグループと換気装置運転表である。
【０１６１】
図１９に示すＳ８００で、演算風速ＦＳ０が停止モードの場合は、Ｓ８０５に進み現在の時刻が送風機停止直前時刻Ｔｏｎから３時間未満である場合は、Ｓ８０７に進み給気運転指示フラグ又は排気運転指示フラグの状態を確認する。Ｓ８０７で給気運転指示フラグ又は排気運転指示フラグがオンしている場合は、Ｓ８１５に進み送風機３１を停止し、Ｓ８２０に進み上下風向板２９１、左右風向板２９５を停止し、Ｓ８２５に進み電気集塵空静ユニット４０の運転を停止し、Ｓ９９０に進んで上位プログラムに戻る。
【０１６２】
これは、前述のように花粉見張り又は汚れ見張りのみが設定されている時に、ダストセンサー１５８の示す室内空間のダストの量が少なくて、上位径平均時間比率ＬｄＬｏから判定した上位径風速ＦＳ２が停止モードで、且つ、修正下位径平均時間比率ＳｄＡｍから判定した下位径風速ＦＳ１も停止モードである場合は、送風機３１を運転しない時間が続くことになる。このような状態が続くとダストセンサー１５８の測定室１５８ｅ内の空気と室内空気のダストの濃度に開きが出て、ダストセンサー１５８が不正確なデータを出力する。これを防ぐため、３時間ごとに２０秒間だけ送風機３１を運転する。この３時間の経過時間中は換気装置３２、送風機３１、上下風向板２９１、左右風向板２９５、電気集塵空静ユニット４０を停止しておくためある。
【０１６３】
Ｓ８０７で給気運転指示フラグ及び排気運転指示フラグがオフしている場合は、Ｓ８１０に進んで換気装置３２を停止し、更にＳ８１５に進み前述と同様の制御を行い、Ｓ９９０に進んで上位プログラムに戻る。
【０１６４】
Ｓ８０５で現在の時刻が送風機停止直前時刻Ｔｏｎから３時間以上経過している場合は、Ｓ８４０に進んで前述の３時間ごとに２０秒間だけの送風機運転の時にオンする見張り送風機運転フラグを確認する。Ｓ８４０で見張り送風機運転フラグがオフである場合は、Ｓ８４５に進み送風機３１を静モードで運転し、Ｓ８５０に進み見張り送風機運転フラグをオンし、Ｓ８５５に進み見張り送風機運転時間２０秒のインターバルをセットし、Ｓ９９０に進んで上位プログラムに戻る。
【０１６５】
Ｓ８４０で見張り送風機運転フラグがオンである場合は、Ｓ８６５に進み見張り送風機運転時間のインターバルが経過していない場合は、そのままＳ９９０に進んで上位プログラムに戻る。
【０１６６】
Ｓ８６５で見張り送風機運転時間のインターバルが経過している場合は、Ｓ８７０に進み送風機停止直前時刻Ｔｏｎに現在時刻を格納し、Ｓ８７５に進み送風機３１の運転を停止し、Ｓ８８０に進み見張り送風機運転フラグをオフし、Ｓ９９０に進んで上位プログラムに戻る。
【０１６７】
この制御により花粉見張り、又は汚れ見張り機能を設定している場合、室内のダスト量が少なくて送風機３１の停止が続いても３時間に２０秒間の送風機３１の運転でダストセンサー１５８の測定室１５８ｅの空気が室内空気とほぼ同じになり、ダストセンサー１５８からのデータの信頼性が上がる。
【０１６８】
Ｓ８００で演算風速ＦＳ０が停止モード以外の場合は、Ｓ９００に進み送風機３１を演算風速ＦＳ０で運転し、Ｓ９０５に進み送風機停止直前時刻Ｔｏｎに現在時刻を格納して更新し、Ｓ９１０に進む。Ｓ９１０で給気運転指示フラグ又は排気運転指示フラグがオンしている場合は、Ｓ９８０に進み電気集塵空静ユニット４０を運転し、室内のダストも除去して室内を速やかに清浄な状態に回復を図り、Ｓ９９０に進んで上位プログラムに戻る。
【０１６９】
Ｓ９１０で給気運転指示フラグ及び排気運転指示フラグがオフしている場合は、Ｓ９２０に進み花粉ボタンフラグの状態を確認する。Ｓ９２０で花粉ボタンフラグがオンしている場合は、Ｓ９５５に進み給気運転を行い新鮮な外気を吸引し、給気通路に設けられた高性能な給気空清フィルター３２７−２で花粉などのダストを除去して室内に供給する。更に、Ｓ９８０に進み電気集塵空静ユニット４０を運転し、Ｓ９９０に進んで上位プログラムに戻る。
【０１７０】
Ｓ９２０で花粉ボタンフラグがオフしている場合は、Ｓ９５０に進み花粉見張りフラグの状態を確認する。Ｓ９５０で花粉見張りフラグがオンの場合は、Ｓ９５５に進み前述のように制御し、Ｓ９９０に進んで上位プログラムに戻る。
【０１７１】
Ｓ９５０で花粉見張りフラグがオフの場合は、Ｓ９６０に進み汚れ見張りフラグの状態を確認する。Ｓ９６０で汚れ見張りフラグがオンの場合は、Ｓ９６５に進み排気運転を行い、汚れた室内の空気を室外に排出し、Ｓ９８０に進み前述のように制御し、Ｓ９９０に進んで上位プログラムに戻る。
【０１７２】
Ｓ９６０で汚れ見張りフラグがオフの場合は、Ｓ９８０に進み前述のように制御し、Ｓ９９０に進んで上位プログラムに戻る。
【０１７３】
このように、ダストセンサーに１μｍ以上のダストを検知して出力する第１の出力機能と、５μｍ以上のダストを検知して出力する第２の出力機能とを備え、これと花粉の飛散時期に合せて指示、設定される花粉ボタン、花粉見張り機能を優先処理することで室内の花粉を識別し花粉除去運転を行うことができる。この場合、花粉ボタン、花粉見張り機能が指示、設定されていると大きめのハウスダスト、埃を感知しても花粉除去運転を始める。理想から言えばこれらは室内で生じるダストであるから電気集塵空清ユニットを運転し、加えて換気装置を排気運転して室内のダストを減少させるのが効率的であるが、花粉除去運転でも電気集塵空清ユニットを運転し、加えて換気装置を給気運転して室内のダストを減少させるので、電気集塵空清ユニットの運転が多少長くなるが、室内のダストはほぼ同じように除去されるので空気調和機の使用者に不利益をもたらすことはほとんど無い。
【０１７４】
尚、本実施例ではダストセンサーとしてダストの濃度を２段階の粒径に分けて出力するものを使用したが、ダストの濃度を３段階の粒径に分けて出力するものを使用し、花粉と埃を粒径７０〜１００μｍを閾値として区分して識別することもできる。この場合、実施例の花粉ボタンを空静ボタンに変え、花粉見張り設定を止めて、汚れ見張り設定に一本化する。つまり、空清ボタンを押下することで電気集塵空清ユニットの運転が始まり、ダストを埃と識別した場合、換気装置を排気運転し、ダストを花粉と識別した場合、換気装置を給気運転し、ダストを煙と識別した場合、換気装置を排気運転する。花粉を含んだ２区分以上のダストが混じっている場合は、花粉優先とし換気装置を給気運転する。このようにすることにより、室内のダストの区分に応じて、そのダストの除去に好適な運転を行い、急速に室内環境を改善し、室内をダストの少ない状態に維持する。
【０１７５】
また、汚れ見張りの設定をすることにより室内のダストの濃度があがった時に、電気集塵空清ユニットの運転が始まり、ダストを埃と識別した場合、換気装置を排気運転し、ダストを花粉と識別した場合、換気装置を給気運転し、ダストを煙と識別した場合、換気装置を排気運転する。花粉を含んだ２区分以上のダストが混じっている場合は、花粉優先とし換気装置を給気運転する。このようにすることにより、室内のダストの区分に応じて、そのダストの除去に好適な運転を行い、急速に室内環境を改善し、室内をダストの少ない状態に維持する。
【０１７６】
尚、本実施例では煙草の煙や花粉、ハウスダスト、埃などアレルゲンとなるダストの除去について述べているがアレルギー反応の助長物質の除去についても、その識別方法を確認して適用することにより本発明を有効に使用できるのは言うまでもない。
【０１７７】
以上説明したように、請求項１記載の発明によれば、誘電体フィルターを備えた電気集塵空清ユニットと、外気を室内に取入れる給気運転が可能な換気装置と、前記換気装置による外気の吸入経路に設けた空清フィルターと、空気中に浮遊するダストを識別できるダストセンサーと、を室内機に備え、前記ダストセンサーが花粉を含む特定グループのダストを検知した場合に、前記電気集塵空清ユニットの運転と前記換気装置の給気運転とを行うように制御する制御装置を備える。これにより、屋外で発生したダストが大量に飛散し、自然換気、強制換気を問わず室内空気に必要とされる換気によって室内にも多量の屋外のダストが侵入した時に、これがアレルギー反応による発作の原因または発作の助長物質となる花粉を含む特定グループのダストであるか否かとダストの濃度をダストセンサーで検知し、ダストが特定グループのダストでその濃度が所定の濃度以上になった時に、電気集塵空清ユニットを運転してダストを誘電体フィルターで捕捉して除去する。さらに、換気装置を給気運転して、外気を導入し、外気の吸入経路に設けた空清フィルターを通すことにより含まれている屋外ダストを除去する。前記換気装置で屋外ダストを除去した外気を給気することで家屋の隙間からの自然換気が抑制され、多量の屋外ダストを含んだ外気が室内に侵入してくるのを防ぐ。このように、屋外で発生し、アレルギー反応による発作の原因、または、発作の助長物質となる花粉を含む特定のダストを検知し、除塵運転して室内をダストの少ない状態に維持する空気調和機を得ることができる。
【０１７８】
また、請求項２記載の発明によれば、前記制御装置が、運転停止中も前記特定グループのダストの有無とその濃度を監視する監視機能と、この監視機能を設定・解除する機能とを備え、この監視機能が設定されている場合には、運転停止中でも、前記ダストセンサーが前記特定グループのダストを検知した時に、前記電気集塵空清ユニットの運転と前記換気装置の給気運転を行うように制御する。これにより、屋外にアレルギー反応による発作の原因または発作の助長物質となる特定グループのダストが充満することが予測された時に、監視機能を設定しておくので、知らない間に飛散する特定グループのダストの量が増え、自然換気などにより多量の特定グループのダストが室内に侵入してきても、室内の特定グループのダストの濃度が所定の値を超えると自動的に電気集塵空清ユニットが運転を開始し、室内の特定グループのダストの量を減少させると共に、換気装置で特定グループのダストを除去した外気を給気することで家屋の隙間などから自然換気で室内に侵入してくる外気を抑制し、室内への特定グループのダストの供給を減少させ、室内の特定グループのダストの濃度を下げる。このように、ある日突然、特定グループのダストによるアレルギーの発作にみまわれると言う、不意打ちに会うことが防止できると共に、四六時中特定グループのダストの飛散具合を気にする必要が無くなり、精神的な余裕が生まれる空気調和機を得ることができる。
【０１７９】
また、請求項３記載の発明によれば、誘電体フィルターを有する電気集塵空清ユニットと、外気を室内に取入れる給気運転が可能な換気装置と、前記換気装置による外気の吸入経路に設けた空清フィルターと、を室内機に備えると共に、運転を制御するリモコンを備え、前記リモコンに花粉を含む特定グループのダスト除去を指示する機能を備え、前記ダスト除去の指示により前記電気集塵空清ユニットの運転と前記換気装置の給気運転とを行うように制御する制御装置を備える。特定グループのダストに過敏な人は、特定グループのダストが飛散している間は、症状の悪化を恐れて外出を控えることが多く、室内で過ごす時間が多くなる。このような時に屋外の特定グループのダストの量が急増し、家屋の隙間などからの自然換気で室内にも多量の特定グループのダストが侵入し、アレルギー症の発作の前兆現象を感じた場合に、手元のリモコンから空気調和機に特定グループのダストの除去運転を指示することにより、電気集塵空清ユニットの運転が始まり特定グループのダストを誘電体フィルターで捕捉して除去する。さらに、換気装置が給気運転を開始して、外気を導入し、外気の吸入経路に設けた空清フィルターを通すことにより含まれている特定グループのダストを除去する。前記換気装置で特定グループのダストを除去した外気を給気することで、家屋の隙間からの自然換気が抑制され、多量の特定グループのダストを含んだ外気が室内に侵入してくるのを防ぎ、室内の特定グループのダストの濃度を下げる。このように、ダストをアレルゲンとした発作が起こりそうな時でも、発作の引き金となり易い大きな動作をすることなしに、手元のリモコンから座ったまま、寝たままで除塵運転を指示し、電気集塵空清ユニットを運転すると共に、換気装置を給気運転して室内をダストの少ない状態に維持する空気調和機を得ることができる。
【０１８０】
特に、花粉症の人は、花粉の飛散時期には、症状の悪化を恐れて外出を控えることが多く、室内で過ごす時間が多くなる。このような時に屋外の花粉の量が急増すると、家屋の隙間などからの自然換気で室内にも多量の花粉が侵入する。このとき、花粉症の前兆現象を感じた場合に、手元のリモコンから花粉の除去運転を指示することにより、電気集塵空清ユニットを運転して花粉を空清フィルターで捕捉して除去する。さらに、換気装置を給気運転して、外気を導入し、外気の吸入経路に設けた空清フィルターを通すことにより含まれている花粉を除去する。前記換気装置で花粉を除去した外気を給気することで家屋の隙間からの自然換気が抑制され、多量の花粉を含んだ外気が室内に侵入してくるのを防ぐ。この場合、空気調和機にダストセンサーを備え、侵入してきたダストがアレルギー反応による発作の原因となる特定グループのダスト（例えば杉花粉、桧花粉）であることと、その濃度が所定の濃度以上であることをダストセンサーで検知して花粉の除去運転を指示するように制御しても良い。このように、症状に苦しむ人の多い花粉症のアレルゲンである花粉をターゲットにして確実に捕集し、室内をダストの少ない状態に維持する空気調和機を得ることができる。
【０１８１】
また、請求項４記載の発明によれば、前記ダスト除去を指示する機能が専用ボタンの押下により実行されることにより、屋外の特定グループのダストの量が急増し、家屋の隙間などからの自然換気で室内にも多量の特定グループのダストが侵入し、アレルギー症の発作の前兆現象を感じた場合に、手元のリモコンの専用ボタンを押下するだけで空気調和機に特定グループのダストの除去運転を指示できる。これにより、電気集塵空清ユニットの運転が始まり特定グループのダストを誘電体フィルターで捕捉して除去し、さらに、換気装置が給気運転を開始して、外気を導入し、外気の吸入経路に設けた空清フィルターを通すことにより含まれている特定グループのダストを除去する。前記換気装置で特定グループのダストを除去した外気を給気することで家屋の隙間からの自然換気が抑制され、多量の特定グループのダストを含んだ外気が室内に侵入してくるのを防ぎ、室内の特定グループのダストの濃度を下げる。このように、ダストをアレルゲンとした発作が起こりそうな時でも、迷わず簡単な操作で電気集塵空清ユニットの運転開始と換気装置の給気運転開始を指示することができ、これにより電気集塵空清ユニットの運転、換気装置の給気運転が始まり、室内をダストの少ない状態に維持する空気調和機を得ることができる。
【０１８２】
また、請求項５記載の発明によれば、前記ダストセンサーがダストの少なくとも３つの濃度範囲を識別できる機能を有し、前記制御装置がこの識別した濃度範囲に応じて送風機の風速を切換えるように制御する。屋外で発生したダストが大量に飛散し、自然換気、強制換気を問わず室内空気に必要とされる換気によって室内にも多量の屋外のダストが侵入した時に、これがアレルギー反応による発作の原因または発作の助長物質となる特定グループのダストであるか否かとダストの濃度をダストセンサーで検知する。ダストが特定グループのダストでその濃度が所定の濃度以上になった時に、電気集塵空清ユニットを運転してダストを誘電体フィルターで捕捉して除去する。このとき、室内のダストの量が少ない時は送風機を低速運転し低騒音で室内の静かな環境を維持しながら徐々にダスト濃度を下げる。室内のダストの量が多い場合は、多少室内騒音が大きくなるが送風機の回転数をダストの濃度に応じて段々に上げて行き、送風機をより高速運転して電気集塵空清ユニットを通過する室内空気の量を増加させ、高率にダストを捕集して急速に室内のダスト濃度を下げる。さらに、換気装置を給気運転して、外気を導入し、外気の吸入経路に設けた空清フィルターを通すことにより含まれている屋外ダストを除去する。前記換気装置で屋外ダストを除去した外気を給気することで家屋の隙間からの自然換気が抑制され、多量の屋外ダストを含んだ外気が室内に侵入してくるのを防ぐ。このように、ダストが多い時は急速にダストを捕集して短時間に室内のダスト濃度を下げ、ダストが少ない時は低騒音運転で徐々にダスト濃度を下げ、室内をダストの少ない状態を長時間維持する空気調和機を得ることができる。
【０１８３】
また、請求項６記載の発明によれば、前記換気装置が排気運転機能も備え、前記制御装置が、前記ダストセンサーが識別したダストのグループに応じて、前記換気装置の給気運転または排気運転と前記電気集塵空清ユニットの運転とを行うように制御する。室内の空気中に浮遊するダストには、上述したように発生源が屋外のものと、発生源が室内のものとが有る。発生源が屋外であるダストの室内濃度を下げる運転方法については上述した。屋内外で発生したダストが室内に多量に有るとき、これがアレルギー反応による発作の原因または発作の助長物質となる特定グループの一つに属するダストであるか否かとダストの濃度をダストセンサーで検知する。ダストが特定グループの一つに属するダストでその濃度が所定の濃度以上になった時に、電気集塵空清ユニットを運転してダストを誘電体フィルターで捕捉して除去する。さらに、ダストセンサーが検知したダストの特徴からそのダストが屋外が発生源のものか室内が発生源のものかを制御装置で識別し、ダストが屋外発生源のものと識別された場合は、換気装置を給気運転して、外気を導入し、外気の吸入経路に設けた空清フィルターを通すことにより含まれている屋外ダストを除去する。前記換気装置で屋外ダストを除去した外気を給気することで家屋の隙間からの自然換気が抑制され、多量の屋外ダストを含んだ外気が室内に侵入してくるのを防ぐ。また、ダストが室内発生源のものと識別された場合は、室内の空気を排気し、外気を導入するのが良い。この場合、換気装置を排気運転して、室内空気を屋外に排気することで家屋の隙間からの換気が促進され、ダストの少ない外気が室内に導入されダストの濃度を低下させる。このように、ダストの種類に応じて電気集塵運転と、給気運転（発生源が室外の場合）または排気運転（発生源が室内の場合）とを組合せて室内環境を速やかに改善する空気調和機を得ることができる。
【０１８４】
また、請求項７記載の発明によれば、前記ダストセンサーによるダストの識別がダストの大きさを識別することにより行なわれ、前記制御装置が、前記識別されたダストの大きさが予め定めた第１の所定値より大きく且つ予め定めた第２の所定値より小さい場合に前記換気装置による給気運転を行うように制御し、他の場合に前記換気装置による排気運転を行うように制御する。一般に気になる室内ダストの主なものは、花粉症の原因となる杉花粉、桧花粉と、埃っぽいと感ずる綿埃を主とした埃、煙いと感ずる煙草の煙を主とした煙である。これらは、ダストの大きさで区分でき、その大きさは、煙＜花粉＜埃の順になる。このように区分した煙と花粉との境界の大きさを第１の所定値とし、花粉と埃の境界の大きさを第２の所定値とする。
【０１８５】
室内のダストの大きさが第１の所定値と第２の所定値との間に有る場合は、ダストは花粉が主な成分であるとみなし、電気集塵空清ユニットを運転してダストを誘電体フィルターで捕捉して除去する。さらに、換気装置を給気運転して、外気を導入し、外気の吸入経路に設けた空清フィルターを通すことにより含まれている屋外ダストを除去する。前記換気装置で屋外ダストを除去した外気を給気することで家屋の隙間からの自然換気が抑制され、多量の屋外ダストを含んだ外気が室内に侵入してくるのを防ぐ。室内のダストの大きさが第１の所定値より小さい場合、または、第２の所定値より大きい場合は、ダストは煙または埃が主な成分であるとみなし、電気集塵空清ユニットを運転してダストを誘電体フィルターで捕捉して除去する。さらに、換気装置を排気運転して、室内空気を屋外に排気することで家屋の隙間からの換気が促進され、ダストの少ない外気が室内に導入されダストの濃度を低下させる。このように、室内のダストが花粉、埃、または、煙であることを識別し、そのダストの除去に好適な運転を行い、急速に室内環境を改善し、室内をダストの少ない状態に維持する空気調和機を得ることができる。
【０１８６】
また、請求項８記載の発明によれば、前記第１の所定値が５μｍ〜１０μｍの範囲であり、前記第２の所定値が７０μｍ〜１００μｍの範囲であることにより、煙、花粉、埃を確実に区分し、各ダストの処理に適した運転をする。室内のダストの大きさが杉花粉や桧花粉が含まれる１０μｍ〜７０μｍの範囲に有る場合は、ダストは花粉が主な成分であるとみなし、電気集塵空清ユニットを運転してダストを誘電体フィルターで捕捉して除去する。さらに、換気装置を給気運転して、外気を導入し、外気の吸入経路に設けた空清フィルターを通すことにより含まれている屋外ダストを除去する。前記換気装置で屋外ダストを除去した外気を給気することで家屋の隙間からの自然換気が抑制され、多量の屋外ダストを含んだ外気が室内に侵入してくるのを防ぐ。室内のダストの大きさが５μｍより小さい場合、または、１００μｍより大きい場合は、ダストは煙または埃が主な成分であるとみなし、電気集塵空清ユニットを運転してダストを誘電体フィルターで捕捉して除去する。さらに、換気装置を排気運転して、室内空気を屋外に排気することで家屋の隙間からの換気が促進され、ダストの少ない外気が室内に導入されダストの濃度を低下させる。このように、室内空気中の花粉を捕集し、室内空気から花粉症のアレルゲンを減少させ、花粉症の症状を緩和する。また、室内空気中の煙、埃を除去し、室内を清浄な環境に保つ空気調和機を得ることができる。
【図面の簡単な説明】
【０１８７】
【図１】本発明の一実施例に係る空気調和機の構成図である。
【図２】図１の室内機の化粧パネルを外した内部構成説明図である。
【図３】図１の室内機のＡ−Ａ断面図
【図４】図１の室内機の斜視図である。
【図５】図２に示した換気装置の空気の流れを模式的に表す図
【図６】図２に示した換気装置の運転の状態を表す図である。
【図７】図３の室内機に用いる電気集塵空清ユニットの外観斜視図である。
【図８】図７の電気集塵空清ユニットの断面図である。
【図９】図７の電気集塵空清ユニットの動作説明図である。
【図１０】図１に室内機１に用いるダストセンサーの動作説明図である。
【図１１】図１０のダストセンサーの受光素子の散乱光受光波形図である。
【図１２】図１のリモコンの機能説明図である。
【図１３】図１のリモコンの図１２と異なる状態の機能説明図である。
【図１４】本実施例の空気調和機の運転制御フロー図である。
【図１５】本実施例の空気調和機の運転制御フロー図（続き１）である。
【図１６】本実施例の空気調和機の運転制御フロー図（続き２）である。
【図１７】本実施例の空気調和機のダスト除去運転制御フロー図である。
【図１８】本実施例の空気調和機のダスト除去運転制御フロー図（続き１）である。
【図１９】本実施例の空気調和機のダスト除去運転制御フロー図（続き２）である。
【図２０】図１８に対応するダストグループの風速切換表を示す図である。
【図２１】図１９に対応するダストグループと換気装置運転表を示す図である。
【符号の説明】
【０１８８】
１…空気調和機、２…室内機、５…リモコン、６…室外機、８…接続配管、２１…筐体、２３…化粧枠、２５…前面パネル、２７…空気吸込み口、２９…空気吹出し口、３１…送風装置、３２…換気装置、３３…室内熱交換器、３５…露受皿、３７…ドレン配管、３９…換気風路、４０…電気集塵空清ユニット、５１…液晶表示部、５２…扉、５３…外部操作ボタン、５４…送受信部、５５…内部操作ボタン、５３ｊ…花粉ボタン、５５ｋ…見張選択ボタン、１５８…ダストセンサー、１５８ａ…外殻、１５８ｃ…空気の導入口、１５８ｄ…空気の排出口、１５８ｅ…測定室、１５８ｆ…ヒーター、１５８ｇ…測定スポット、１５８ｈ…発光ダイオード、１５８ｉ…集光レンズ、１５８ｊ…受光素子、２１０…筐体本体、２３０…化粧枠本体、２３１…プレフィルター、２３０ａ…上側空気吸込み部、２３０ｂ…前側空気吸込み部、２５０…前面パネル本体、２５１…可動パネル、２９０…吹出し風路、２９１…上下風向板、２９５…左右風向板、３１１…送風ファン、３１３…送風モータ、３２１…換気ファン、３２３…換気ファン吸込み口、３２４…換気ファン吹出し口、３２５…換気装置吸込み口、３２６…換気装置吹出し口、３２７…換気装置給排気口、３２７−１…給気プレフィルター、３２７−２…給気空清フィルター、３２８−１…排気吹出し風路、３２８−２…給気吸込み風路、３２８−３…給排気風路、３２８−４…給気吹出し風路、３２８−５…排気吸込み風路、３２９−１…吸込み切換ダンパー、３２９−２…吹出し切換ダンパー、３９６…受光部、３９７…表示部、４０１…枠体、４０２…放電電極、４０３…放電対向電極、４０４…接地電極、４０５…誘電体フィルター、４０６…脱臭フィルター、４０１ａ…把持部、４０１ｂ…支持脚、４０２ａ…高圧側接続端子、４０４ａ…接地側接続端子。
【図１】
2007107819.tif 000003
【図２】
2007107819.tif 000004
【図３】
2007107819.tif 000005
【図４】
2007107819.tif 000006
【図５】
2007107819.tif 000007
【図６】
2007107819.tif 000008
【図７】
2007107819.tif 000009
【図８】
2007107819.tif 000010
【図９】
2007107819.tif 000011
【図１０】
2007107819.tif 000012
【図１１】
2007107819.tif 000013
【図１２】
2007107819.tif 000014
【図１３】
2007107819.tif 000015
【図１４】
2007107819.tif 000016
【図１５】
2007107819.tif 000017
【図１６】
2007107819.tif 000018
【図１７】
2007107819.tif 000019
【図１８】
2007107819.tif 000020
【図１９】
2007107819.tif 000021
【図２０】
2007107819.tif 000022
【図２１】
2007107819.tif 000023